(57)【要約】【課題】  回転による遠心力の影響、または耐久によるクラッチ作動特性の変化といった、実車の走行状態に対応したねじり振動の予測が可能となる車両用駆動系のねじり特性決定方法及びそのプログラムを提供することである。【解決手段】  車両駆動系を複数の系に分割し、各系について運動方程式を立て、前記運動方程式を連立して前記車両駆動系のねじり振動解析を行うねじり振動解析方法において、予め、作動時又は作動相当時のクラッチディスクの実測または推定された運動特性を保持し、前記運動特性を前記運動方程式に適用してねじり振動解析を行うねじり振動解析方法を解決手段とする【選択図】      図８
2005113934.tif 000002
【特許請求の範囲】
【請求項１】
車両駆動系を複数の系に分割し、各系について運動方程式を立て、前記運動方程式を連立して前記車両駆動系のねじり振動解析を行うねじり振動解析方法において、
予め、作動時又は作動相当時のクラッチディスクの実測または推定された運動特性を保持し、
前記運動特性を前記運動方程式に適用してねじり振動解析を行うこと、
を特徴とするねじり振動解析方法。
【請求項２】
前記運動特性は、前記クラッチディスクのねじり角−トルク特性であり、前記ねじり角−トルク特性を運動方程式に適用する際に、前記ねじり角−トルク特性から前記クラッチディスクの動バネ定数及び減衰係数を算出して前記運動方程式に代入すること、
を特徴とする請求項１に記載のねじり振動解析方法。
【請求項３】
車両駆動系を複数の系に分割し、各系について運動方程式を立て、前記運動方程式を連立して前記車両駆動系のねじり振動解析を行うねじり振動解析方法において、
前記車両駆動系のエンジンの回転数−トルク特性及び回転数−回転速度変動特性を計測し、前記車両駆動系のクラッチディスクの所定の回転速度ごとのクランク変動角度−動バネ定数−トルク特性及び所定の回転速度ごとのクランク変動角速度−減衰係数−トルク特性を計測する段階と、
前記ねじり振動解析の解析対象となるエンジン回転速度を入力する段階と、
前記回転数−トルク特性を用いて、前記エンジン回転速度において出力されるトルクを算出する段階と、
前記回転数−回転速度変動特性を用いて、前記エンジン回転速度における回転速度変動を算出し、この回転速度変動からクランク変動角度及びクランク変動角速度を算出する段階と、
前記エンジン回転速度に対応する前記クランク変動角度−動バネ定数−トルク特性を用いて、前記トルク及び前記クランク変動角度における前記クラッチディスクの動バネ定数を算出する段階と、
前記エンジン回転速度に対応する前記クランク変動角速度−減衰係数−トルク特性を用いて、前記トルク及び前記クランク変動角速度における前記クラッチディスクの減衰係数を算出する段階と、
前記動バネ定数及び前記減衰係数を前記運動方程式に適用してねじり振動解析を行う段階と、
を含むことを特徴とするねじり振動解析方法。
【請求項４】
車両駆動系を複数の系に分割し、分割された各系について運動方程式を立て、前記運動方程式を連立して前記車両駆動系のねじり振動解析をコンピュータに実行させるねじり振動解析プログラムにおいて、
前記コンピュータの情報格納部には、前記車両駆動系に動力を与えるエンジンの回転速度−トルク特性及び回転速度−回転速度変動特性と、前記車両駆動系のクラッチディスクの所定のエンジン回転速度ごとのクランク変動角度−動バネ定数−トルク特性及びクランク変動角速度−減衰係数−トルク特性とが格納され、
前記コンピュータに、
各系の所定の運動特性値と、前記エンジンのねじり振動解析の対象となる時間ごとのエンジン回転数から構成されるエンジン回転速度データとを入力するデータ入力部、
前記回転速度−トルク特性を用いて、前記エンジン回転速度データに対応する、時間ごとのトルクから構成されるトルクデータを算出するエンジントルク算出部、
前記回転速度−回転速度変動特性を用いて、前記エンジン回転速度データに対応する、時間ごとの回転速度変動から構成される回転速度変動データを算出する回転速度変動算出部、
前記エンジン回転速度データに対応する前記クランク変動角度−動バネ定数−トルク特性を用いて、前記トルクデータと前記クランク変動角度データとに対応する、時間ごとの前記クラッチディスクの動バネ定数から構成される動バネ定数データを算出する動バネ定数算出部、
前記エンジン回転速度に対応する前記クランク変動角速度−減衰係数−トルク特性を用いて、前記トルクデータと前記クランク変動角速度データとに対応する、時間ごとの前記クラッチディスクの減衰係数から構成される減衰係数データを算出する減衰係数算出部、
前記入力部で入力された各系の所定の運動特性値と、前記エンジン回転データと、前記動バネ定数データと、前記減衰係数データとを用いて、前記運動方程式を連立して前記車両駆動系のねじり振動解析を行うねじり振動解析部、
として機能させるためのねじり振動解析プログラム。
【発明の詳細な説明】
【技術分野】
【０００１】
本発明は、クラッチディスクの作動時の特性変化を反映できる、車両用駆動系のねじり振動解析方法及びそのプログラムに関する。
【背景技術】
【０００２】
エンジンのトルク変動を起振源として発生した車両用駆動系のねじり振動は、クラッチディスクを介して変速機側に伝達され、遊動ギアなどの歯打ちを発生させ、これに伴う振動・騒音といった商品性の低下を引き起こす原因となる。このねじり振動の伝達を抑制するために、ねじり振動の共振周波数を実用車速域からずらす対策や、共振時の振幅を許容レベル以下に抑制する対策などが実施されており、その方法としてクラッチディスクのねじり角−トルク特性の最適化が試みられている。
【０００３】
現在、このクラッチディスクのねじり角−トルク特性の最適化を目的として、特許文献１に記載されたようなコンピュータを用いたシミュレーションにより、最適なクラッチディスクのねじり角−トルク特性を予測して、実車にて検証する方法が一般的に行われている。
【０００４】
特許文献１に記載の多段クラッチディスクについてのねじり角−トルク特性決定方法は、クラッチディスクを境界として駆動系を二つの分系に別け、クラッチディスクのねじり角−トルク特性として、クラッチディスクのバネ定数および減衰係数に所定の値を与えて、車両用駆動系の各部のねじり振動を予測する方法である。
【０００５】
【特許文献１】特許第３３５８３９８号明細書（請求項１、図１）
【発明の開示】
【発明が解決しようとする課題】
【０００６】
しかしながら、特許文献１に記載のシミュレーション方法では、クラッチディスクの構造による作動時の遠心力の影響による特性変化や、耐久後のクラッチディスクの特性変化などが考慮されないため、実車のねじり振動特性を精度よく予測することができなかった。そのため、結局、実車による走行実験を繰り返して、クラッチディスクのねじり角−トルク特性を決定しているのが実状であった。
【０００７】
したがって、本発明が解決しようとする課題は、回転による遠心力の影響、または耐久によるクラッチ作動特性の変化といった、実車の走行状態に対応したねじり振動の予測が可能となる車両用駆動系のねじり特性決定方法及びそのプログラムを提供することである。
【課題を解決するための手段】
【０００８】
前記課題を解決するためになされた請求項１に記載のねじり振動解析方法は、車両駆動系を複数の系に分割し、各系について運動方程式を立て、これらの運動方程式を連立して車両駆動系のねじり振動解析を行うねじり振動解析方法において、予め、作動時又は作動相当時のクラッチディスクの実測または推定された運動特性を保持し、この運動特性を運動方程式に適用してねじり振動解析を行うことを特徴としている。
【０００９】
請求項１に記載の発明によると、従来のねじり振動解析方法に、実際のクラッチディスクの運動特性を反映することができる。
【００１０】
また、請求項２に記載のねじり振動解析方法は、請求項１に記載のねじり振動解析方法において、クラッチディスクの運動特性は、ねじり角−トルク特性であり、このねじり角−トルク特性を運動方程式に適用する際に、このねじり角−トルク特性からクラッチディスクの動バネ定数及び減衰係数を算出して運動方程式に代入することを特徴としている。
【００１１】
請求項２に記載の発明によると、クラッチディスクの運動特性値である動バネ定数と減衰係数とを反映したねじり振動解析を行うことができる。
【００１２】
また、請求項３に記載のねじり振動解析方法は、車両駆動系を複数の系に分割し、各系について運動方程式を立て、これらの運動方程式を連立して車両駆動系のねじり振動解析を行うねじり振動解析方法において、車両駆動系のエンジンの測定試験から、回転数−トルク特性、エンジンの爆発１次の回転数−回転速度変動特性を計測し、車両駆動系のクラッチディスクの測定試験から、所定の回転速度ごとのクランク変動角度−動バネ定数−トルク特性、所定の回転速度ごとのクランク変動角速度−減衰係数−トルク特性を計測する段階と、ねじり振動解析の解析対象となるエンジン回転速度を入力する段階と、回転数−トルク特性を用いて、このエンジン回転速度において出力されるトルクを算出する段階と、回転数−回転速度変動特性を用いて、このエンジン回転速度における回転速度変動を算出し、この回転速度変動からクランク変動角度及びクランク変動角速度を算出する段階と、エンジン回転速度に対応するクランク変動角度−動バネ定数−トルク特性を用いて、算出したトルク及びクランク変動角度における前記クラッチディスクの動バネ定数を算出する段階と、エンジン回転速度に対応するクランク変動角速度−減衰係数−トルク特性を用いて、算出したトルク及びクランク変動角速度におけるクラッチディスクの減衰係数を算出する段階と、算出された動バネ定数及び減衰係数を運動方程式に適用してねじり振動解析を行う段階とを含むことを特徴としている。
【００１３】
請求項３に記載の発明によると、１種類以上のエンジンのトルクと回転速度に応じた、クラッチディスクの運動特性値である動バネ定数と減衰係数を反映したねじり振動解析を行うことができる。
【００１４】
また、請求項４に記載のねじり振動解析プログラムは、車両駆動系を複数の系に分割し、分割された各系について運動方程式を立て、これらの運動方程式を連立して車両駆動系のねじり振動解析をコンピュータに実行させるねじり振動解析プログラムにおいて、このコンピュータの情報格納部には、車両駆動系に動力を与えるエンジンの回転速度−トルク特性及び回転速度−回転速度変動特性と、車両駆動系のクラッチディスクの所定のエンジン回転速度ごとのクランク変動角度−動バネ定数−トルク特性及びクランク変動角速度−減衰係数−トルク特性とが格納され、このコンピュータに、各系の所定の運動特性値と、エンジンのねじり振動解析の対象となる時間ごとのエンジン回転数から構成されるエンジン回転速度データとを入力するデータ入力部、回転速度−トルク特性を用いて、エンジン回転速度データに対応する、時間ごとのトルクから構成されるトルクデータを算出するエンジントルク算出部、回転速度−回転速度変動特性を用いて、エンジン回転速度データに対応する、時間ごとの回転速度変動から構成される回転速度変動データを算出する回転速度変動算出部、エンジン回転速度データに対応するクランク変動角度−動バネ定数−トルク特性を用いて、算出されたトルクデータ及びクランク変動角度データに対応する、時間ごとのクラッチディスクの動バネ定数から構成される動バネ定数データを算出する動バネ定数算出部、エンジン回転速度に対応するクランク変動角速度−減衰係数−トルク特性を用いて、算出されたトルクデータ及びクランク変動角速度データに対応する、時間ごとのクラッチディスクの減衰係数から構成される減衰係数データを算出する減衰係数算出部、入力部で入力された各系の所定の運動特性値と、エンジン回転データと、動バネ定数データと、減衰係数データとを用いて、分割された各系の運動方程式を連立して車両駆動系のねじり振動解析を行うねじり振動解析部として機能させるためのねじり振動解析プログラムである。
【００１５】
請求項４に記載の発明によると、コンピュータを用いて１種類以上のエンジンのトルクと回転速度に応じた、クラッチディスクの運動特性値である動バネ定数と減衰係数を反映したねじり振動解析を行うことができる。
【発明の効果】
【００１６】
本発明によると、クラッチディスクの作動時の運動特性を反映させて車両用駆動系のねじり振動解析を行うことができるため、クラッチディスクの構造による回転時の遠心力による影響や、耐久後の特性変化を含んだ解析が可能となる。これにより、実車の加速や減速といった走行状態において、精度よく実測値に近い車両用駆動系のねじり振動の解析が可能となる。
【発明を実施するための最良の形態】
【００１７】
本発明の実施の形態を、添付した図面を参照して詳細に説明する。
【００１８】
（クラッチディスクのモデル）
例えば、図１（ａ）は、本実施の形態におけるクラッチディスクの断面図であり、図１（ｂ）は、このクラッチディスクの正面図である。図１に示したクラッチディスク１は、図示しないミッションへ動力を伝達するインプットシャフトへのスプライン嵌合を可能に設けられたスプラインハブ２と、スプラインハブ２のつば部に設けられた窓に配置されるトーションスプリング３と、スプラインハブ２を挟んで対向する位置に配置されるディスクプレート４，５と、ディスクプレート５の外周部に設けられたフェーシング６と、スプラインハブ２及びディスクプレート４，５の間に介装されたフリクションワッシャ７，８とから主に構成されている。
【００１９】
このクラッチディスク１を介して、エンジンのフライホイールからミッションのインプットシャフトへの動力の伝達を説明すると、ディスクプレート５の外周に設けられたフェーシング６には、図示しないクラッチカバーにより、同じく図示しないフライホイールに押し付けられることで、フライホイールの回転力が伝達される。そして、この回転力は、トーションスプリング３とフリクションワッシャ７，８とを介してスプラインハブ２にスプライン嵌合されたインプットシャフトに伝達される。
【００２０】
次に、図２は、図１に示したクラッチディスク１のねじり振動をシミュレーション解析する際の解析モデルを表す図である。図２に示すように、シミュレーション解析は、クラッチディスク１の振動特性を決めるトーションスプリング３によるバネ部分及びフリクションワッシャ７，８による減衰部が並列に接続され、その前後にディスクプレート４，５とスプラインハブ２との慣性モーメントが直列に接続されて構成されている。図２に示した解析モデルによると、クラッチディスク１のねじり振動特性は、ディスクプレート４，５の重量による慣性モーメントＩｄと、スプラインハブ２の重量による慣性モーメントＩｎと、トーションスプリング３の動バネ定数Ｋｄと、フリクションワッシャ７，８の摩擦力による減衰係数Ｃｅｑによって定まることがわかる。
【００２１】
（クラッチディスクのねじり角−トルク特性）
次に、図１に示した本実施の形態のクラッチディスク１のねじり角−トルク特性（ヒステリシス特性）について説明する。例えば図３は、図１に示したクラッチディスク１を固定した状態でトルクをかけた場合のねじり角−トルク特性を表している。図３において、実線で示される値は、新品状態での、つまり初期のクラッチディスク１のねじり特性を表している。また、破線で示される値は、走行耐久後のクラッチディスク１のねじり特性を表している。ここで、実線で示される初期のねじり角−トルク特性の上側の値と、破線で示される耐久後のねじり角−トルク特性の上側の値は、ほぼ同じ値を示しているため重なっている。図３に示したねじり角−トルク特性によると、実線と破線とが近い軌跡を描いており、クラッチディスク１を固定させた静的な状態では、クラッチディスク１の初期と耐久後のねじり特性に大きな変化が見られないことがわかる。
【００２２】
次に図４は、図１に示したクラッチディスク１を、４，０００ｒｐｍで回転させた状態でトルクをかけた場合のねじり角−トルク特性を表している。図４に示したねじり角−トルク特性においても、図３のねじり角−トルク特性と同様に、実線で示される値は、初期のクラッチディスク１のねじり特性を表している。また、破線で示される値は、走行耐久後のクラッチディスク１のねじり特性を表している。図４の実線で示したクラッチディスク１の初期のねじり角−トルク特性によると、図３に示した固定した状態で測定したものに比べて、ヒステリシストルクが大きくなったために、ねじり角−トルク特性のループの上段と下段との差が開いていることがわかる。
【００２３】
また、図４に示したクラッチディスク１の初期と耐久後のねじり特性は大きく異なり、耐久後のヒストリシストルクが大きくなっていることがわかる。これは、クラッチディスク１の回転にともなう遠心力により、トーションスプリング３が、ディスクプレート４，５の外周側及びスプラインハブ２の外周側に押し付けられることで摩擦力が増大することなどに起因していると考えられる。
【００２４】
従来のねじり振動解析方法では、このように、回転数などの動作条件や、初期と耐久後とでクラッチディスク１のねじり角−トルク特性が異なっているにもかかわらず、一定の特性であると仮定して固定値を用いるため、精度の高い解析を行うことが難しかった。本実施の形態のねじり振動解析方法では、クラッチディスク１の特性を表す動バネ定数Ｋｄと減衰係数Ｃｅｑとを、実際の作動状態のクラッチディスク１を用いた測定値から算出し、この動バネ定数Ｋｄと減衰係数Ｃｅｑとを、従来技術のねじり振動解析に適用して実行することで精度の高い解析を可能とする。
【００２５】
（動バネ定数と減衰係数の算出）
次に本実施の形態のねじり振動解析方法において、クラッチディスク１の動バネ定数Ｋｄ及び減衰係数Ｃｅｑを決定する際に用いる動バネ定数ＭＡＰ及び減衰係数ＭＡＰの作成過程を説明する。
【００２６】
例えば図５は、実際にクラッチディスク１をねじり振動解析の対象となる駆動系に組み込んで、エンジンを作動させ、動力をクラッチディスク１に伝達した作動状態におけるねじり角−トルク特性を示す図である。なお、この作動条件を人為的に作り出して、作動状態相当としてクラッチディスク１のねじり角−トルク特性を測定することも可能である。
【００２７】
次に、この図５に示したねじり角−トルク特性から、クラッチディスク１の動バネ定数Ｋｄと減衰係数Ｃｅｑとを求める方法について説明する。初めにクラッチディスク１の動バネ定数Ｋｄを求める方法を説明する。作動状態のクラッチディスク１の動バネ定数Ｋｄ［Ｎｍ／ｄｅｇ］は、図５の破線で示した矢印の傾きで表されるため、動バネ定数Ｋｄは、次に示す数式（１）で示される
【００２８】
【数１】
2005113934.tif 000003
【００２９】
ここで、Ｋｓ［Ｎｍ／ｄｅｇ］は、クラッチディスク１を回転させない状態で測定した静バネ定数を示している。また、Ｈ［Ｎｍ］は、ヒステリシストルク、Ａ［ｄｅｇ］はクランク変動角度をそれぞれ表している。
【００３０】
次にクラッチディスク１の減衰係数Ｃｅｑ［Ｎｍ・ｓ／ｄｅｇ］は、次に示す数式（２）で示される。
【００３１】
【数２】
2005113934.tif 000004
【００３２】
ここで、Ｓ［Ｎｍ・ｄｅｇ］はヒステリシスループで囲まれる面積を表し、ω［ｄｅｇ／ｓ］はクランク角速度を表している。以上からこの作動条件における初期のクラッチディスク１の動バネ定数Ｋｄと減衰係数Ｃｅｑを求めることができる。
【００３３】
そして、図６は、回転数１，０００ｒｐｍごとに計測したクランク変動角度Ａ［ｄｅｇ］に対するクラッチディスク１の動バネ定数Ｋｄ［Ｎｍ／ｄｅｇ］を表している。図６に示した回転数ごとの動バネ定数によると、回転数が上昇するにつれ、動バネ定数も上昇していることがわかる。
【００３４】
なお、図６では所定のエンジントルクをクラッチディスク１に加えた場合のクランク変動角度−動バネ定数特性を表しているが、本実施の形態では複数種類のエンジンを用いた車両駆動系のねじり振動を解析することを目的として、クラッチディスク１を単体で測定試験を行い、トルクとエンジン回転速度とを変動させた場合のクランク変動角度−動バネ定数−トルク特性を測定して用いることとする。以下、このエンジン回転速度ごとのクランク変動角度−動バネ定数−トルク特性を動バネ定数ＭＡＰと呼ぶ。
【００３５】
また、図７は、回転数１０００ｒｐｍごとに計測したクランク変動角速度Ａω［ｄｅｇ／ｓ］に対するクラッチディスク１の減衰係数Ｃｅｑ［Ｎｍ・ｓ／ｄｅｇ］を表しており、同じく回転数が上昇するにつれ、動バネ定数も同じく上昇していることがわかる。
【００３６】
なお、図７では所定のエンジントルクをクラッチディスク１に加えた場合のクランク変動角速度−減衰係数特性を表しているが、本実施の形態では複数種類のエンジンを用いた車両駆動系のねじり振動を解析することを目的として、クラッチディスク１を単体で測定試験を行い、トルクとエンジン回転速度とを変動させた場合のクランク変動角速度−減衰係数−トルク特性を測定して用いることとする。以下、このエンジン回転速度ごとのクランク変動角速度−減衰係数−トルク特性のグラフを減衰係数ＭＡＰと呼ぶ。
【００３７】
なお、本実施の形態のねじり振動解析は、初期の状態のクラッチディスク１を用いた車両駆動系における解析を行うこととし、前記した動バネ定数ＭＡＰ及び減衰係数ＭＡＰは、クラッチディスク１の初期の状態における値を表している。従って、耐久後のクラッチディスク１を用いた車両駆動系のねじり振動解析を行う場合には、耐久後のクラッチディスク１を用いて作成した動バネ定数ＭＡＰ及び減衰係数ＭＡＰを用いて解析を行うことになる。
【００３８】
（ねじり振動解析方法）
次に前記した手順にて作成したクラッチディスク１の動バネ定数ＭＡＰ及び減衰係数ＭＡＰを用いた、車両用駆動系のねじり振動解析方法を詳しく説明する。
【００３９】
例えば図８は、本実施の形態のねじり振動解析方法で用いるねじり振動モデルを表す図である。図８に示した本実施の形態のねじり振動解析モデルは、例えば４気筒レシプロエンジンで発生するエンジントルクが、エンジンからフライホイールを介して、図１に示したクラッチディスクに伝達され、このクラッチディスクに伝達された動力はトランスミッション内のインプットシャフトからギアを介してカウンターシャフトに伝達され、ディファレンシャルから、車体から回転摺動可能に懸架されたドライブシャフトを介して駆動輪であるタイヤに伝達される過程をモデル化したものである。
【００４０】
図８に示したねじり振動解析モデルにおいて、運動方程式を立てると次に示す一群の式になる。
【００４１】
【数３】
2005113934.tif 000005
【００４２】
ここで、慣性モーメントＩ*、ねじり剛性Ｋ*及び減衰係数Ｃ*の各添字は各要素の位置を示しており、Ｅはエンジン、ＦＷはフライホイール、ＩＳはインプットシャフト、ＧＳはシフトギア、ＣＳはカウンターシャフト、ＧＦはファイナルギア、Ｄｉｆｆはディファレンシャル、ＤＳはドライブシャフト、Ｖは車体をそれぞれ表している。
【００４３】
また、θ*［ｄｅｇ］はねじり角変位を、Ｉ*［Ｎ・ｍ・ｓ2］は慣性モーメントを、Ｋ*［Ｎｍ／ｄｅｇ］はねじり剛性を、Ｃ*［Ｎｍ・ｓ／ｄｅｇ］は減衰係数をそれぞれ表している。そして、これらの慣性モーメントＩ*の間には、次に示す関係が成り立つ。
【００４４】
【数４】
2005113934.tif 000006
【００４５】
ここで、ｉ［−］はミッションにおけるギア比を表し、ｉf［−］はディファレンシャルにおけるギア比を表している。また、ねじり剛性Ｋ*の間には次に示す関係が成り立つ。
【００４６】
【数５】
2005113934.tif 000007
【００４７】
この数式（３）に示した運動方程式を解くことで、車両用駆動系についてのねじり振動解析を行うことができる。なお、本実施の形態では、初期値として各ねじり剛性ＫIS、ＫGS、ＫCS、ＫGF、ＫDiff、ＫDSの値と、ドライブシャフトの減衰係数ＣDSの値は、従来技術によるねじり振動解析と同様に、所定値（固定値）が与えられる。また、クラッチディスクの動バネ定数Ｋd及び減衰係数Ｃeqは、エンジンの回転速度、回転速度変動及びエンジンのトルクの値を入力値として、前記した動バネ定数ＭＡＰと減衰係数ＭＡＰとを用いて算出されて入力される。なお、クラッチディスク１の動バネ定数Ｋd及び減衰係数Ｃeqの算出の過程は後記するねじり振動解析プログラムの中で詳しく説明する。
【００４８】
（ねじり振動解析プログラム）
次に、例えば図９は、前記した本実施の形態のねじり振動解析方法を、コンピュータを用いて実現させるために、ねじり振動解析プログラムをコンピュータに実行させた場合の機能ブロック図である。以下、本実施の形態のねじり振動解析プログラムを実行させたコンピュータをねじり振動解析装置５０と呼ぶ。ねじり振動解析装置５０は、ＣＰＵ（Central Processing Unit）、ＲＡＭ（Random Access Memory）、ＲＯＭ（Read Only Memory）、ハードディスクドライブ、キーボード、マウス、ディスプレイなどから構成され、典型的にはパーソナルコンピュータで実現される。本実施の形態のねじり振動解析プログラムは、ねじり振動解析装置５０のハードディスクドライブに格納され、ＲＡＭに展開されてＣＰＵによって実行される。
【００４９】
次に、図９に示したねじり振動解析装置５０の機能ブロック図を、コンピュータの機能と対応させて説明する。本実施の形態のねじり振動解析装置５０のデータ入力部５１は、ねじり振動解析の対象となる車両駆動系のエンジンの回転数データや、クラッチディスク１以外のシャフトやギアなどのねじり剛性や、減衰係数や、慣性モーメントなどを入力する機能を有し、キーボード、マウス又はネットワークを介したファイル入力のインターフェイスである。また、クラッチディスク１の動バネ定数ＭＡＰ５２と、エンジン回転速度−トルク特性であるエンジントルクＭＡＰ５３と、クラッチディスク１の減衰係数ＭＡＰ５４と、エンジン回転速度−回転速度変動特性である回転速度変動ＭＡＰ５５とは、ねじり振動解析装置５０のハードディスクドライブに予め測定され格納されている。
【００５０】
なお、このエンジントルクＭＡＰ５３には、ねじり振動解析の対象となる車両駆動系のエンジンのエンジン回転速度に対する出力トルク特性が記録されている。また、回転速度変動ＭＡＰ５５には、エンジン回転速度に対する爆発１次のエンジン回転速度変動の特性が記録されている。
【００５１】
次に、ねじり振動解析装置５０の演算処理部５６は、エンジントルクを算出するエンジントルク算出部５７と、回転速度変動を算出する回転速度変動算出部５８と、クラッチディスク１の動バネ定数を算出する動バネ定数算出部５９と、クラッチディスク１の減衰係数を算出する減衰係数算出部６０と、前記した４つの算出部から送られるデータと、データ入力部５１に入力されたクラッチディスク１以外のシャフトやギアなどのねじり剛性や、減衰係数や、慣性モーメントのデータなどを用いて、数式（３）に示した運動方程式を解くことで、ねじり振動解析を行うねじり振動解析部６１とを含んで構成される。この演算処理部５６は、ねじり振動解析プログラムをＲＡＭに展開してＣＰＵが実行することで実現される。
【００５２】
さらに、解析結果出力部６２は、ねじり振動解析部６１が出力するねじり振動の解析結果を出力する機能を有し、ディスプレイ、プリンタ、ハードディスクドライブへのファイル出力のインターフェイスである。
【００５３】
次に、例えば図１０は、ねじり振動解析装置５０を用いて、車両用駆動系のねじり振動解析を行う過程を示したフローチャートである。図１０を参照して、ねじり振動解析の過程を詳しく説明する（適宜、図９参照）。
【００５４】
初めにデータ入力部５１から、ねじり振動解析で用いるクラッチディスク１以外のシャフトやギアなどのねじり剛性や、減衰係数や、慣性モーメントなどを初期値として入力する（ステップＳ２００）。次に、ねじり振動解析の対象となる車両駆動系のエンジン回転速度データを入力する（ステップＳ２０１）。ここで、エンジン回転速度データとは、解析対象となる任意の時間区間におけるエンジン回転速度のデータである。
【００５５】
ステップＳ２０１において、エンジン回転速度データが入力されると、ハードディスクドライブに格納されたエンジントルクＭＡＰ５３を用いて、エンジン回転速度データに含まれるエンジン回転数に応じたエンジンのトルクの変動を表すトルクデータを算出する（ステップＳ２０２）。また、ステップＳ２０２と並行して、回転速度変動ＭＡＰ５５を用いて、回転速度変動を算出する（ステップＳ２０３）。ここで、ステップＳ２０２に示されるトルクデータ算出のサブルーチンと、ステップＳ２０３で示される回転速度変動算出のサブルーチンを詳しく説明する。
【００５６】
例えば図１１は、ステップＳ２０２のトルクデータ算出のサブルーチンを説明するフローチャートである。図１１に示したフローチャートによると、初めに、ステップ２０１において、ねじり振動解析装置５０のデータ入力部５１に入力されたエンジン回転速度データを取得すると（ステップＳ２５０）、エンジン回転速度に対するエンジンの出力トルクを示したエンジントルクＭＡＰ５３により、各時間のエンジン回転速度に対応したエンジンのトルクを算出する（ステップＳ２５１）。そして、この算出したエンジントルクを集計して解析対象の時間区間のトルクデータとして後段側のステップに出力する（ステップＳ２５２）。
【００５７】
次に、例えば図１２は、ステップＳ２０３の回転速度変動算出のサブルーチンを説明するフローチャートである。図１２に示したフローチャートによると、初めに、ステップ２０１において、ねじり振動解析装置５０のデータ入力部５１に入力されたエンジン回転速度データを取得すると（ステップＳ２６０）、エンジン回転速度に対する回転速度変動を示した回転速度変動ＭＡＰ５５を用いて、各時間のエンジン回転速度に対応した回転速度変動を算出する（ステップＳ２６１）。そして、この算出した回転速度変動を用いてクランク変動角度とクランク変動角速度とを算出する（ステップＳ２６２）。ここで、ステップＳ２６２における回転速度変動からクランク変動角度とクランク変動角速度を算出する方法について説明する。
【００５８】
ある時刻におけるエンジン回転速度をＲ［ｒｐｍ］とし、ステップＳ２６１で算出されたこの回転速度Ｒに対応する回転速度変動をＢ［ｒｐｍ］とすると、クランク変動角度Ａ［ｄｅｇ］は、次に示す数式（６）で表される。
【００５９】
【数６】
2005113934.tif 000008
【００６０】
また、本実施の形態では、ねじり振動解析の対象となる車両駆動系のエンジンが４気筒レシプロエンジンであるとすると、クランク角速度ω［ｄｅｇ／ｓ］は次の数式（７）で表される
【００６１】
【数７】
2005113934.tif 000009
【００６２】
クランク変動角速度はクランク変動角度Ａ［ｄｅｇ］とクランク角速度ω［ｄｅｇ／ｓ］との積で表せるため、クランク変動角速度Ａω［ｄｅｇ／ｓ］となる。
【００６３】
最後に、ステップＳ２６２で算出したクランク変動角度とクランク変動角速度を集計して、解析対象の時間区間のクランク変動角度データ及びクランク変動角速度データとして後段側のステップに出力する（ステップＳ２６３）。
【００６４】
ふたたび、図１０に戻って、ステップＳ２０２において出力されたトルクデータと、ステップＳ２０３において出力されたクランク変動角度データとは、動バネ定数データ算出のサブルーチンに入力され、クラッチディスク１の動バネ定数Ｋｄ［Ｎｍ／ｄｅｇ］が算出される（ステップＳ２０４）。また、並列してステップＳ２０２において出力されたトルクデータと、ステップＳ２０３において出力されたクランク変動角速度データとは、減衰係数算出のサブルーチンに入力され、クラッチディスク１の減衰係数Ｃｅｑ［Ｎｍ・ｓ／ｄｅｇ］が算出される（ステップＳ２０５）。
【００６５】
ここで、ステップＳ２０４に示される動バネ定数データ算出のサブルーチンと、ステップＳ２０５で示される減衰係数データ算出のサブルーチンを詳しく説明する。例えば図１３は、ステップＳ２０４の動バネ定数データ算出のサブルーチンを説明するフローチャートである。図１３に示したフローチャートによると、初めに、ステップ２０１において、ねじり振動解析装置５０のデータ入力部５１に入力されたエンジン回転速度データを取得する（ステップＳ２７０）。そして、前段のステップＳ２０２とステップＳ２０３とからトルクデータとクランク変動角度データとを取得する（ステップＳ２７１）。次に、ねじり振動解析装置５０は、ステップＳ２７０で取得したエンジン回転速度データの各時刻のエンジン回転速度に対応した動バネ定数ＭＡＰを選択する（ステップＳ２７２）。そして、この選択された動バネ定数ＭＡＰにより、その時刻におけるトルクとクランク変動角度に対応したクラッチディスク１の動バネ定数を算出する（ステップＳ２７３）。最後に、この算出した動バネ定数を集計して、解析対象の時間区間の動バネ定数データとして後段側のステップに出力する（ステップＳ２７４）。
【００６６】
次に、例えば図１４は、ステップＳ２０５の減衰係数データ算出のサブルーチンを説明するフローチャートである。図１４に示したフローチャートによると、初めに、ステップ２０１において、ねじり振動解析装置５０のデータ入力部５１に入力されたエンジン回転速度データを取得する（ステップＳ２８０）。そして、前段のステップＳ２０２とステップＳ２０３とからトルクデータとクランク変動角速度データとを取得する（ステップＳ２８１）。次に、ねじり振動解析装置５０は、ステップＳ２８０で取得したエンジン回転速度データの各時刻のエンジン回転速度に対応した減衰係数ＭＡＰを選択する（ステップＳ２８２）。そして、この選択された減衰係数ＭＡＰにより、その時刻におけるトルクとクランク変動角速度に対応したクラッチディスク１の減衰係数を算出する（ステップＳ２８３）。最後に、この算出した減衰係数を集計して、解析対象の時間区間の減衰係数データとして後段側のステップに出力する（ステップＳ２８４）。
【００６７】
ふたたび、図１０に戻って、ステップＳ２０４のサブルーチンが出力したクラッチディスク１の動バネ定数データと、ステップＳ２０５のサブルーチンが出力したクラッチディスク１の減衰係数データとは、ねじり振動解析のサブルーチン（ステップＳ２０６）に送られる。ステップＳ２０６のねじり振動解析のサブルーチンでは、ステップＳ２００で入力されたクラッチディスク１以外のシャフトやギアなどのねじり剛性や減衰係数などと、ステップＳ２０１で入力されたエンジンの回転速度データと、ステップＳ２０４で出力されたクラッチディスク１の動バネ定数データと、ステップＳ２０５で出力されたクラッチディスク１の減衰係数データと、を数式（３）で示した一群の運動方程式に代入して解くことで、ねじれ振動解析を行う。なお、ステップＳ２０６のねじり振動解析のサブルーチンに用いられる方法は特許文献１に示したものや、従来公知の方法を用いることができる。
【００６８】
そして、ステップＳ２０６のねじり振動解析のサブルーチンで計算された解析結果は、ねじり振動解析装置５０の解析結果出力部６２から出力される（ステップＳ２０７）。なお、この解析結果の出力方法としては、ディスプレイに出力することや、プリンタから印字して出力することや、ファイル形式でネットワークを介して出力することなど様々な形態を用いることができる。
【００６９】
次に、本実施の形態のねじり振動解析方法を用いて、図８に示したねじり解析モデルをシミュレーションした結果について説明する。図１５は加速時におけるトランスミッション部のねじり振動解析の結果を表す図であり、図１６は減速時におけるトランスミッション部のねじり振動解析の結果を表す図である。図１５及び図１６において、太い実線で表した値は、本実施の形態のねじり振動解析方法によるシミュレーション結果を表し、細い実線は、実際に車両を用いてねじり振動を計測した結果を表している。また、破線で表した図面はエンジンにおいてねじり振動を計測した実測値を表している。
【００７０】
図１５及び図１６から本実施の形態のねじり振動解析方法によるシミュレーション結果と実際の車両を用いて計測された実測値は近い値を示しており、加速時、減速時を問わず、本実施の形態のねじり振動解析方法によって、ねじり振動が精度良くシミュレーションされていることがわかる。
【００７１】
以上、説明した実施の形態の中で多くの事項が具体的に記載されているが、これらは本発明を説明するための一実施例であり、本発明は様々に変形して実施することが可能である。例えば、本実施の形態では、クラッチディスクを単体で測定試験を行い、様々なエンジンの出力トルクに対応できるように、クランク変動角度−動バネ定数−トルク特性及びクランク変動角速度−減衰係数−トルク特性を用いたが、クラッチディスクを解析対象となる車両駆動系のエンジンに取り付けてねじり角−トルク特性を測定することもできる。この方法で測定することで、実際のエンジントルクが反映された測定値となるため、トルクデータ算出部を省略することができ、ねじり振動解析の処理を簡素化することができる。
【００７２】
また、本実施の形態の中で説明したねじり振動解析装置を、ねじり振動を計測する装置と組み合わせる構成をとってもよい。これにより、動バネ定数ＭＡＰや減衰係数ＭＡＰの作成も一台の装置で行うことができ、実際の車両駆動系において解析と実証を同じ場所で行うことができる。
【００７３】
また、本実施の形態のねじり振動解析装置では、ハードディスクドライブに特定のクラッチディスクの動バネ定数ＭＡＰと減衰係数ＭＡＰとを格納した構成としたが、複数種類のクラッチディスクの動バネ定数ＭＡＰと減衰係数ＭＡＰや、耐久歴に応じたクラッチディスクの動バネ定数ＭＡＰと減衰係数ＭＡＰなどを含んで格納し、初期値の入力の際にこれらを選択してねじり振動解析を行う構成としてもよい。これにより、複数種類の状態の異なるクラッチディスクのねじり振動解析を１台のねじり振動解析装置で行うことができる。従って本発明は特許請求の範囲に記載された技術的思想によって定められる。
【図面の簡単な説明】
【００７４】
【図１】（ａ）クラッチディスクの断面図である。（ｂ）クラッチディスクの正面図である。
【図２】クラッチディスクの解析モデルを表す図である。
【図３】回転していないときのクラッチディスクのねじり角−トルク特性を表す図である。
【図４】回転しているときのクラッチディスクのねじり角−トルク特性を現す図である。
【図５】作動状態におけるクラッチディスクのねじり角−トルク特性を現す図である。
【図６】作動状態における動バネ定数を表す図である。
【図７】作動状態における減衰係数を表す図である。
【図８】作動状態の特性を反映した駆動系ねじり振動解析モデルを説明する図である。
【図９】駆動系ねじり振動解析装置の機能ブロック図である
【図１０】駆動系ねじり振動解析プログラムのフローチャートである。
【図１１】トルクデータ算出の過程を詳しく説明したフローチャートである。
【図１２】クランク変動角度データ及びクランク変動角速度データ算出の過程を詳しく説明したフローチャートである。
【図１３】動バネ定数データ算出の過程を詳しく説明したフローチャートである。
【図１４】減衰係数データ算出の過程を詳しく説明したフローチャートである。
【図１５】加速時のトランスミッションねじり振動解析の結果を表す図である。
【図１６】減速時のトランスミッションねじり振動解析の結果を表す図である。
【符号の説明】
【００７５】
１      クラッチディスク
５０    ねじり振動解析装置
５２    動バネ定数ＭＡＰ
５４    減衰係数ＭＡＰ
５９    動バネ定数算出部
６０    減衰係数算出部
６１    ねじり振動解析部
【図１】
2005113934.tif 000010
【図２】
2005113934.tif 000011
【図３】
2005113934.tif 000012
【図４】
2005113934.tif 000013
【図５】
2005113934.tif 000014
【図６】
2005113934.tif 000015
【図７】
2005113934.tif 000016
【図８】
2005113934.tif 000017
【図９】
2005113934.tif 000018
【図１０】
2005113934.tif 000019
【図１１】
2005113934.tif 000020
【図１２】
2005113934.tif 000021
【図１３】
2005113934.tif 000022
【図１４】
2005113934.tif 000023
【図１５】
2005113934.tif 000024
【図１６】
2005113934.tif 000025